(57)【特許請求の範囲】
【請求項１】
壁面等の被取付体に取り付けられる取付ベースにアームを設け、アームの下縁にフック部材を設けて成る掛止装置において、アームにスライド部材を摺動可能に取り付けると共に、スライド部材にフック部材を回動可能に取り付けて成り、フック部材は、軸部から下方に連続する受部及び上方に連続する立上り部から成り、受部が被掛止物を掛止可能であって、軸部の上部に頭部体を被着してあり、頭部体は、四角筒状の首部を設けてその４面を停止面と成し、相対する停止面に接触する一対の板ばねをスライド部材に取り付け、フック部材をスライド部材に対し回動することによって、頭部体も回動し板ばねが接触する一対の停止面が切り換えられ、立上り部をアームの下縁に位置する方向及びアームの側方に突出する方向に切り換えて停止させることができるように成し、立上り部をアームの下縁に位置する方向に停止させた時、立上り部とアーム下縁との間隔が０から２ミリメートル程度の寸法になるよう構成することによって、フック部材に掛けた被掛止物を外れにくくしたことを特徴とする掛止装置。
【発明の詳細な説明】
【技術分野】
【０００１】
本発明は、主にベランダの壁や柱等の被取付体に取り付けられる取付ベースに、下縁にフック部材を取り付けたアームを設け、フック部材に掃除用具や洗濯かご等の被掛止物を掛止して使用する掛止装置に関するものである。
【背景技術】
【０００２】
本発明の掛止装置と類似するものとして、特開平８−１５０２９０号公報に記載された発明が提案されており、これは、取付具に対して水平方向に回転自在に取り付けられた支持具本体の長手方向に、竿支持具を所定間隔をもって形成しており、かつその竿支持具を支持具本体に対して回転自在に形成している竿掛けである。また、特開平９−１５４７００号公報に記載された発明は、ポール本体にフック部材を摺動回転自在に取り付けられている吊り下げ用ポールである。
【先行技術文献】
【特許文献】
【０００３】
【特許文献１】特開平８−１５０２９０号公報
【特許文献２】特開平９−１５４７００号公報
【発明の概要】
【発明が解決しようとする課題】
【０００４】
上記特許文献１に記載された発明においては、竿支持具が回転自在ではあるが、停止することができず、なおかつ竿支持具先端と支持具本体の下縁との間隔が大きいので、竿支持具に掛けた被掛止物が外れやすいという問題がある。また、特許文献２に記載された発明においても同様に、フック部材は、摺動回転自在ではあるが、停止することができず、なおかつ竿支持具先端と支持具本体の下縁との間隔が大きいものであり、フック部材に掛けた被掛止物を外れにくくすることができるものではない。本発明は、従来技術にはない発想のものであり、簡単な構造で、フック部材に被掛止物を掛けやすく、その後掛けた被掛止物を外れにくくできるようにすることを課題としている。
【課題を解決するための手段】
【０００５】
本発明は、上記の課題を解決するものであり、壁面等の被取付体に取り付けられる取付ベースにアームを設け、アームの下縁にフック部材を設けて成る掛止装置において、アームにスライド部材を摺動可能に取り付けると共に、スライド部材にフック部材を回動可能に取り付けて成り、フック部材は、軸部から下方に連続する受部及び上方に連続する立上り部から成り、受部が被掛止物を掛止可能であって、軸部の上部に頭部体を被着してあり、頭部体は、四角筒状の首部を設けてその４面を停止面と成し、相対する停止面に接触する一対の板ばねをスライド部材に取り付け、フック部材をスライド部材に対し回動することによって、頭部体も回動し板ばねが接触する一対の停止面が切り換えられ、立上り部をアームの下縁に位置する方向及びアームの側方に突出する方向に切り換えて停止させることができるように成し、立上り部をアームの下縁に位置する方向に停止させた時、立上り部とアーム下縁との間隔が０から２ミリメートル程度の寸法になるよう構成することによって、フック部材に掛けた被掛止物を外れにくくしたことを特徴とする掛止装置である。
【発明の効果】
【０００６】
以上のように本発明によれば、フック部材の立上り部をアームの下縁に位置する方向及びアームの側方に突出する方向に回動して停止させることができると共に、立上り部をアームの下縁に位置する方向に停止させた時、立上り部とアーム下縁との間隔がゼロ又はゼロに近い寸法になるよう構成したので、フック部材の立上り部をアームの側方に突出する方向に停止させて、フック部材に被掛止物を掛けやすくすると共に、その後フック部材を回動して立上り部をアームの下縁に位置する方向に停止させて、掛けた被掛止物を外れにくくすることができるという効果がある。
【図面の簡単な説明】
【０００７】
【図１】アームが被取付体の取付面から直角に突出している状態を示す側面図である。
【図２】図１の要部縦断面図である。
【図３】アームが被取付体の取付面から直角に突出している状態を示す斜視図である。
【図４】アームが被取付体の取付面と平行な状態を示す斜視図である。
【図５】全体の分解斜視図である。
【図６】図５の要部分解斜視図である。
【実施例１】
【０００８】
本実施例の掛止装置は、壁や柱等の被取付体Ｗに取り付けられる取付ベース１に、長手部材であるアーム２の一端部を回動可能に取り付けて成り、アーム２は、被取付体Ｗから直角に突出する状態と、被取付体Ｗと平行な２つの状態の３つの状態に設定することができるようになっている。
【０００９】
取付ベース１は、縦長方形状で上下部に取付部１４・１４を残してその間に開口部１６を設け、その上下部に前方に突出する軸受部１７・１７を設けてある。取付部１４・１４には取付孔１５・１５を設けてあり、軸受部１７・１７は、先端部が半円形状で周縁に相対向するように突出している受壁部１８・１８を設けてある。
【００１０】
アーム２は、断面略縦長矩形状の押出型材で、下方に開口する矩形の蟻溝状の摺動溝１９を設けてあり、この摺動溝１９に、スライド部材２６を摺動可能に取り付け、このスライド部材２６にフック部材３を回動可能に取り付けてあり、さらに、その基端部はアーム基体４に取り付けられ、先端部には、エンドキャップ３１を取り付けてある。エンドキャップ３１の上部は、アーム２上縁より上方に突出しており、アーム２上縁に物を掛けた場合に、外れにくいようになっている。
【００１１】
アーム基体４は、略円柱状体の上下端部に回動中心となる突軸部１０・１０を設けると共に、前部の上下部に間隔をおいて倒コ字状でアーム２に挿入される脚部１２・１２を突設し、突軸部１０・１０には、両側部及び後部の３箇所に半円弧凹状の係合部１１・・・１１をそれぞれ設けてある。
【００１２】
スライド部材２６は、横長の略立方体で、中央に上下方向に貫通する挿入孔３０を設けてあり、フック部材３は、スライド部材２６の挿入孔３０に回動可能に取り付けられる縦直線状の軸部２３から下方に連続する半円弧状の受部２４及び上方に連続する縦直線状の立上り部２５から成り、軸部２３が立上り部２５より長く略Ｊ字状になっている。フック部材３の軸部２３上端部に被せる頭部体２０は、四角筒状の首部２８の上端部に円形板状の鍔部２７を設けて成る。後述するように、四角筒状の首部２８は、その４面が停止面２９・・・２９となっている。
【００１３】
次に組立方を説明する。
アーム基体４を取付ベース１の開口部１６の後方から挿しこんで、突軸部１０・１０を軸受部１７・１７の受壁部１８・１８前部内面に摺接部材８・８を介して当接させて、脚部１２・１２が取付ベース１の前方に突出するようにして、前方からアーム２を押し込んで、脚部１２・１２がアーム２の中空部に挿入されるようにし、アーム基体４の後方から連結ねじ９・９をアーム２に螺合して、アーム２とアーム基体４を一体化し、連結ねじ９・９を隠すためアーム基体４の後部にカバー１３を取り付ける。
【００１４】
次に、ボール６・６をアーム基体４上下部の後部の係合部１１・１１に係合させ、その後部に圧縮ばね７・７をあてがい、さらに圧縮ばね７・７を押すように蓋体５を後方から被せ、取付ねじ３２で取付ベース１に取り付ける。アーム２が取付ベース１に対して、直角に突出して取り付けられているこの状態からアーム２を左右いずれかに回動すると、後部の係合部１１・１１に係合しているボール６・６が圧縮ばね７・７の力に抗して後方へ移動して外れ、９０度回動させると、ボール６・６が両側部の係合部１１・・・１１のいずれかに圧縮ばね７・７の力で係合するようになる。
【００１５】
その後、スライド部材２６の挿入孔３０にフック部材３の軸部２３を下方から挿入して上方に突出させ、Ｃリング２２で抜け止めして頭部体２０を被着し、板ばね２１・２１を頭部体２０の首部２８の相対する２つの停止面２９・２９に接触させながら、一緒にフック部材３を下方に移動させてスライド部材２６の挿入孔３０に取り付ける。するとフック部材３は、板ばね２１・２１が停止面２９・・・２９にそれぞれ面接触している状態に切り替えられて、それぞれの状態に安定して停止するようになり、９０度ずつ変位している４つの方向に設定することができる。
【００１６】
フック部材３が取り付けられたスライド部材２６をアーム２先端から摺動溝１９に挿入して、アーム２に長手方向に摺動可能に取り付け、最後にアーム２の先端に、エンドキャップ３１を被せてねじ止めして組立は完了する。フック部材３は、板ばね２１・２１が停止面２９・・・２９にそれぞれ面接触している４つの状態、すなわち、フック部材３がアーム２の両側方に突出している２つの状態及び平行な２つの状態に設定することができる。
【００１７】
そして、固定ねじ３３・３３を取付孔１５・１５から挿通して取付ベース１を壁面等の被取付体Ｗに固定し、アーム２が取付ベース１すなわち被取付体Ｗに対して直角になった状態（図１及び図３参照）、又は、その状態から９０度左又は右に回動して、取付ベース１すなわち被取付体Ｗに対して平行になった状態（図４参照）の３つの状態で使用するものである。それぞれの状態では、上述のように、ボール６・６が３つの係合部１１・・・１１のいずれかに圧縮ばね７・７の力で係合し安定する。
【００１８】
いずれかの状態で、フック部材３を、立上り部２５がアーム２の側方に直角に突出する方向に設定し、そこに被掛止物を掛けて使用するものであり、必要に応じ、その状態から立上り部２５をアーム２の下縁に位置する方向まで９０度回動させる。すると、立上り部２５とアーム２下縁との間隔がゼロに近い状態にまで狭くなり、掛けられた被掛止物が容易に外れにくくなる。なお、被掛止物が容易に外れにくくするためには、立上り部２５とアーム２下縁との間隔は、０から２ミリメートル程度が好ましい。また、アーム２の上縁に被掛止物を掛けて使用することもできる。
【符号の説明】
【００１９】
１    取付ベース
２    アーム
３    フック部材
２３    軸部
２４    受部
２５    立上り部
【図１】
0005875149.tif 000002
【図２】
0005875149.tif 000003
【図３】
0005875149.tif 000004
【図４】
0005875149.tif 000005
【図５】
0005875149.tif 000006
【図６】
0005875149.tif 000007